(57)【要約】【課題】  ベッドに対して容易に着脱することができ、ベッドから取り外して直ちに簡易ソファーとして利用できるマットレスを備えたベッドを、簡単にコンバクト化して収納することができるようにした多機能マットレス付ベッドを提供する。【解決手段】  マットレスブロックを内側に折り返すことによりソファーのアームレスト部が形成されるように構成された多機能マットレスを、左右一対のベッド本体フレームを中央部から夫々内側に２つに折畳み可能に構成された折畳み式ベッドの上面、又は、全体がスノコ状に形成されたベッド本体ユニットを複数個連設することによりベッド本体が形成される組立て式ベッドの上面に、それぞれ着脱自在にセットして多機能ソファー付ベッドを作る。【選択図】図５
0003154395.tif 000002
【実用新案登録請求の範囲】
【請求項１】
複数個の直方体のマットレスブロックが連設され、前記各マットレスブロックは前記連設された部位から折畳み可能とされ、前記マットレスブロックのうち外側に位置するマットレスブロックの端部を内側に折り返すことによりソファーのアームレスト部及び背もたれ部が形成されるように構成された多機能マットレスを、平面視でコの字状に形成された左右一対のベッド本体フレームを中央部から夫々内側に２つに折畳み可能に構成された折畳み式ベッドの上面、又は、全体がスノコ状に形成されたベッド本体ユニットを複数個連設して成る組立て式ベッドの上面に、それぞれ着脱自在にセットして成ることを特徴とする多機能ソファー付ベッド。
【請求項２】
前記多機能マットレスは、前記直方体のマットレスブロックが少なくとも３個連設されて成り、前記各マットレスブロックは前記連設された部位から九十九折状に折畳み可能とされ、前記マットレスブロックのうち外側に位置するマットレスブロックの一つには切込みが施されて凹字状マットレスブロックが形成されており、該凹字状マットレスブロックを内側に折り返すことにより前記ソファーの背もたれ部及びアームレスト部が形成されるように構成されていることを特徴とする請求項１に記載の多機能ソファー付ベッド。
【請求項３】
前記折畳み式ベッドの前記ベッド本体フレームの下方には、少なくとも４つの接地スタンドが設けられており、前記ベッド本体フレームの中央部下方に位置する接地スタンドの設置部にはキャスタが設けられていることを特徴とする請求項１又は２に記載の多機能ソファー付ベッド。
【請求項４】
前記折畳み式ベッドには、当該ベッドを２つに折り畳んだとき、両者を連結固定する連結具が備えられていることを特徴とする請求項１ないし３のいずれか１に記載の多機能ソファー付ベッド。
【請求項５】
前記組立て式ベッドの前記ベッド本体ユニットは、上方に湾曲した複数枚のウッドスプリングを２つの側辺部材に等間隔に懸架、固定されて成っていることを特徴とする請求項１又は２に記載の多機能ソファー付ベッド。
【請求項６】
前記組立て式ベッドの前記ベッド本体ユニットの連設部は、固定ピンと該固定ピンを係止する係止穴とにより構成されていることを特徴とする請求項１、２、５のいずれか１に記載の多機能ソファー付ベッド。
【請求項７】
前記折畳み式ベッド、又は、前記組立て式ベッドの各外周には、前記多機能マットレスを案内し固定するガイド部材が設けられていることを特徴とする請求項１ないし６のいずれか１に記載の多機能ソファー付ベッド。
【考案の詳細な説明】
【技術分野】
【０００１】
本考案は、多機能マットレスを備えた折畳み式又は組立て式のベッドに関する。
【背景技術】
【０００２】
従来より、例えばワンルームマンション等に居住する場合、部屋の大きさが制限されていることから、固定ベッドに代え、折畳み式ベッドを使用して部屋のスペースを確保することが行われている。
【０００３】
このような折畳み式ベッドとして、例えば特許文献１には、フレームの上面に３つのマットを固定設置し、フレームを各マット部分の連設部から３つに折畳み可能とし、かつ２つ折り状態にすることによりマットを簡易ソファーとして使用できるようにした折畳み式ベッドが提案されている。
【０００４】
この折畳み式ベッドによれば、マットを一種の多機能マットレスとして利用でき、またベッド自体を折り畳むことによりコンパクト化してスペースに収納できる利点がある。
【先行技術文献】
【特許文献】
【０００５】
【特許文献１】実用新案登録第３０４４４７７号公報
【考案の概要】
【考案が解決しようとする課題】
【０００６】
しかしながら、この折畳み式ベッドでは、マットがベッドのフレームに固定設置されているため、例えばマット単独で簡易ソファーとして使用するためには、その都度、フレームとの固定を解除しなければならず、面倒であった。また、マットをフレームに固定した状態でベッドを３つ折りすると、マット部分が嵩張るため、折り畳むことが困難となり、また、折畳み方向に広いスペースが必要となるという不具合があった。
【課題を解決するための手段】
【０００７】
本考案は、上述した実情に鑑みてなされたものであり、その解決すべき課題すなわち目的は、ベッドに対して容易に着脱することができ、ベッドから取り外して直ちに簡易ソファーとして利用できるマットレスを備えたベッドを、簡単にコンバクト化して収納することができるようにした多機能マットレス付ベッドを提供することである。
【０００８】
本考案の上記目的は、複数個の直方体のマットレスブロックが連設され、前記各マットレスブロックは前記連設された部位から折畳み可能とされ、前記マットレスブロックのうち外側に位置するマットレスブロックの端部を内側に折り返すことによりソファーのアームレスト部及び背もたれ部が形成されるように構成された多機能マットレスを、平面視でコの字状に形成された左右一対のベッド本体フレームを中央部から夫々内側に２つに折畳み可能に構成された折畳み式ベッドの上面、又は、全体がスノコ状に形成されたベッド本体ユニットを複数個連設して成る組立て式ベッドの上面に、それぞれ着脱自在にセットして成ることを特徴とする多機能ソファー付ベッドを提供することにより達成される。
【０００９】
また、本考案の上記目的は、前記多機能マットレスは、前記直方体のマットレスブロックが少なくとも３個連設されて成り、前記各マットレスブロックは前記連設された部位から九十九折状に折畳み可能とされ、前記マットレスブロックのうち外側に位置するマットレスブロックの一つには切込みが施されて凹字状マットレスブロックが形成されており、該凹字状マットレスブロックを内側に折り返すことにより前記ソファーの背もたれ部及びアームレスト部が形成されるように構成されていることを特徴とする多機能ソファー付ベッドを提供することにより効果的に達成される。
【００１０】
また、本考案の上記目的は、前記折畳み式ベッドの前記ベッド本体フレームの下方には、少なくとも４つの接地スタンドが設けられており、前記ベッド本体フレームの中央部下方に位置する接地スタンドの設置部にはキャスタが設けられていることを特徴とする多機能ソファー付ベッドを提供することにより効果的に達成される。
【００１１】
また、本考案の上記目的は、前記折畳み式ベッドには、当該ベッドを２つに折り畳んだとき、両者を連結固定する連結具が備えられていることを特徴とする多機能ソファー付ベッドを提供することにより効果的に達成される。
【００１２】
また、本考案の上記目的は、前記組立て式ベッドの前記ベッド本体ユニットは、上方に湾曲した複数枚のウッドスプリングが２つの側辺部材に等間隔に懸架、固定されて成っていることを特徴とする多機能ソファー付ベッドを提供することにより効果的に達成される。
【００１３】
また、本考案の上記目的は、前記組立て式ベッドの前記ベッド本体ユニットの連設部は、固定ピンと該固定ピンを係止する係止穴とにより構成されていることを特徴とする多機能ソファー付ベッドを提供することにより効果的に達成される。
【００１４】
さらにまた、本考案の上記目的は、前記折畳み式ベッド、又は、前記組立て式ベッドの各外周には、前記多機能マットレスを案内し固定するガイド部材が設けられていることを特徴とする多機能ソファー付ベッドを提供することにより効果的に達成される。
【考案の効果】
【００１５】
折畳み式ベッドを用いる本考案では、ベッド本体フレームを中央部から夫々内側に２つに折り畳むことにより、また、組立て式ベッドを用いる本考案では、連設された各ベッド本体ユニットを夫々連設部から解体することにより、ベッド自体を容易にコンパクト化して収納できるので、狭いスペースの有効利用が図れる。
【００１６】
また、反対にベッドとして使用する場合には、この逆の操作をすることにより簡単に復元することができる。
【００１７】
さらにまた、多機能マットレスはベッドに対し容易に着脱でき、ベッドから手軽に取り外して折り畳むだけで直ちに低位の簡易ソファーとして利用することができる。
【図面の簡単な説明】
【００１８】
【図１】本考案の一実施形態に係る多機能マットレスの平面図である。
【図２】図１のＡ−Ａ断面図である。
【図３】図２に示す多機能マットレスを矢印Ｙ１、Ｙ２、Ｙ３方向に折り畳むことにより形成される簡易ソファーの斜視図である。
【図４】本考案の一実施形態に係る折畳み式ベッドの平面図である。
【図５】図４に示す折畳み式ベッドの下側面図である。
【図６】図４に示す折畳み式ベッドの右側面図である。
【図７】図４におけるＢ−Ｂ断面図である。
【図８】図５に示す折畳み式ベッドを矢印Ｙ５、Ｙ６方向に折り畳んで形成される多機能マットレス付ベッドの側面図である。
【図９】本考案の一実施形態に係る組立て式ベッドの平面図である。
【図１０】図９に示す組立て式ベッドを構成するベッド本体ユニットの平面図で、（Ａ）は端部側に位置するベッド本体ユニット、（Ｂ）は内側に位置するベッド本体ユニットである。
【図１１】図１０（Ａ）（Ｂ）に示す各ベッド本体ユニットの下側面図である。
【考案を実施するための形態】
【００１９】
以下、本考案の内容を実施形態を示す添付図面に基づき詳細に説明する。なお、本考案は必ずしも以下の実施形態に限定されるものではなく、実用新案登録請求の範囲を逸脱しない範囲において、その構成を種々に変更し得ることはいうまでもない。
【００２０】
本考案の第１実施形態に係る多機能マットレス付ベッド（以下、「本ベッドＢ１」という）は、多機能マットレス１０と折畳み式ベッド２０の組合せによって構成されている。
【００２１】
図１は、その多機能マットレス１０の一実施形態の平面図、図２は図１のＡ−Ａ断面図、図３は、図２に示す多機能マットレス１０を折り畳むことにより形成される簡易ソファー１０Ｓの斜視図である。
【００２２】
本多機能マットレス１０は、３つのマットレスブロック１１、１２，１３がカバー１４を介して連設され、隣り合う同士が連設部Ｐ１．Ｐ２を支点として図２に矢印Ｙ１、Ｙ２で示す状態、いわゆる九十九折状に折畳み可能に設けられている。マットレスブロック１１、１２，１３は、夫々チャック（図示せず）が周設されて開閉可能とされた布製のカバー１４の内部にポリウレタンフォーム等から成るクッション材１５が充填され、全体が直方体に形成されている。
【００２３】
マットレスブロック１２と１３とは同一形状に形成されているのに対し、外側（図１、図２の左側）に位置するマットレスブロック１１はマットレスブロック１２、１３に較べ長さ寸法が大きく設定されている。図１に示すように、この長く設定された部分は平面視で凹字状をなすマットレスブロック１１Ｓに形成されている。このマットレスブロック１１Ｓは、カバー１４を介してマットレスブロック１１に連設され、この連設部Ｐ３を支点として矢印Ｙ３で示す内側に折り返すことにより、図３に示すような低位の簡易ソファー１０Ｓのアームレスト部１０ＳＡ及び背もたれ部１０ＳＢを形成するようになっている。
【００２４】
なお、マットレスブロック１１Ｓの中央部の上面には面ファスナ（オス材）１６が貼設され、一方、このマットレスブロック１１Ｓと対向するマットレスブロック１１の上面には面ファスナ（メス材）１７が貼設されており、マットレスブロック１１Ｓを折り返したときにこのファスナ同士が係合してマットレスブロック１１Ｓがマットレスブロック１１に固定されるようになっている。
【００２５】
以上のとおり構成された本多機能マットレス１０は、折畳み式ベッド２０にセットされてベッドマットとして、また、折畳み式ベッド２０から取り外され、上述のように折り畳まれることにより低位の簡易ソファー１０Ｓとして、さらにまた、平坦のまま床面に敷いて通常の平マットとして、夫々使用される。
【００２６】
図４は、折畳み式ベッド２０の平面図、図５はその下側面図、図６はその右側面図である。
【００２７】
本折畳み式ベッド２０は、平面視でコの字状に形成された左右一対のベッド本体フレーム２１、２２を有し、その幅方向両側の後端部２１Ｅ、２２Ｅが長手方向中央部に位置する横フレーム２３に夫々ピン２１Ｐ、２２Ｐを介して回転自在に支持されて成っている。このベッド本体フレーム２１、２２の各先端部２１Ｆ、２２Ｆには、本折畳み式ベッド２０を折り畳むときに使用される把手２１Ｔ、２２Ｔが立設されている。この把手２１Ｔ、２２Ｔは、多機能マットレス１０を折畳み式ベッド２０にセットするときのガイド及び固定部材としての機能も有している。なお、このようなガイド部材をベッド本体フレーム２１、２２の両側部にも設ける（図示せず）ことにより、多機能マットレス１０の折畳み式ベッド２０に対する案内、固定作業をさらに確実なものとすることができる。
【００２８】
ベッド本体フレーム２１の側部には、ベッド本体フレーム２１と２２とを連結固定する連結用レバー２１Ｌが枢設されており、この連結用レバー２１Ｌを係止する係止ピン２２Ｋがベッド本体フレーム２２の側部に固設されている。後述するように、この連結用レバー２１Ｌと係止ピン２２Ｋとは、本ベッドＢ１を２つに折り畳んだときに使用される。
【００２９】
ベッド本体フレーム２１の内側には平面視でコの字状に形成された背上げフレーム２４が設けられている。この背上げフレーム２４の後端部２４Ｅはピン２４Ｐを介してベッド本体フレーム２１に回転自在に支持され、先端部２４Ｆとベッド本体フレーム２１の先端部２１Ｆとの間には背上げ具２５が設けられている。
【００３０】
この背上げ具２５は、図７に示すように、ベッド本体フレーム２１の先端部２１Ｆと背上げフレーム２４の先端部２４Ｆとの間に配設されたレバー２５Ｌ１〜２５Ｌ４とピン２５Ｐ１〜２５Ｐ４から成るリンク機構、及び、このリンク機構の作動により係脱される爪２５Ｎと溝２５Ｍとから成る持上げ機構を介して、背上げフレーム２４の先端部２４Ｆを矢印Ｙ４方向に移動させるように構成された公知のものである。
【００３１】
図５に示すように、左右一対のベッド本体フレーム２１、２２の下方には、４つの接地スタンド２６Ａ、２６Ｂ、２６Ｃ、２６Ｄが設けられている。なお、この接地スタンドは必要に応じ増設し得るものである。
【００３２】
接地スタンド２６Ａと２６Ｂとの間、及び、接地スタンド２６Ｃと２６Ｄとの間の各一方側には、本折畳み式ベッド２０の折畳みに伴い接地スタンド２６Ａ、２６Ｄを開閉するレバー２７が連結されている。接地スタンド２６Ａ、２６Ｄの接地部には床面に傷を与えないようにするため弾性を有するクッションリング２８が嵌着されている。また、接地スタンド２６Ｂ、２６Ｃの接地部にはキャスタ２９が設けられ、本折畳み式ベッド２０を２つに折り畳んだときに移動できるようになっている。
【００３３】
背上げフレーム２４の上面には幅方向に渡って床板２４Ｕが等間隔をもって配設されている。また、ベッド本体フレーム２１の上面には床板２１Ｕが、横フレーム２３の上面には床板２３Ｕが、ベッド本体フレーム２２の上面には床板２２Ｕが、夫々床板２４Ｕと同様に配設されている。これらの床板は一般にウッドスプリングと呼ばれ、ブナ、ナラ、タモ等の堅い木材材から成り、図６に示すように、上面側が凸状に湾曲して形成されている。このように形成することにより、各床板には強度とクッション性が付与される。
【００３４】
なお、本実施形態では、この床板すなわちウッドスプリングにユーカリの木が使用されている。このユーカリの木は安いコストで入手でき、また、防虫効果を有する利点がある。
【００３５】
多機能マットレス１０はこれらの床板の上面にセットされ、かくして図５に示すようなベッドＢ１が完成する。
【００３６】
以上のとおり構成された本ベッドＢ１は、多機能マットレス１０をセットしたまま把手２１Ｔ、２２Ｔを左右の手で持ち、ベッド本体フレーム２１、２２を矢印Ｙ５、Ｙ６方向に移動させることにより、図８に示すように２つに折り畳まれる。
【００３７】
このとき、多機能マットレス１０は把手２１Ｔ、２２Ｔを始め、周設されたガイド部材（図示せず）により周囲がしっかり固定され、この状態で連結用レバー２１Ｌを図８に点線矢印で示すように回動して係止ピン２２Ｋに係止固定することにより、２つ折りにした状態であってもベッド本体フレーム２１、２２が左右に開くことがなく、多機能マットレス１０を折り畳んだベッド本体フレーム２１、２２間にコンパクトに収納することができる。なお、この連結具として、把手２１Ｔと２２Ｔとを把持して連結する把持式の連結具を用いることも可能である。
【００３８】
このようにして２つに折り畳まれた本ベッドＢ１は、接地スタンド２６Ｂ、２６Ｃの接地部に設けられたキャスタ２９を介して部屋の片隅等に移動され、これにより部屋に空きスペースが確保される。
【００３９】
次に、本考案の第２実施形態に係る多機能マットレス付ベッド（以下、「本ベッドＢ２」という）を、図９〜１１を参照して説明する。
【００４０】
本ベッドＢ２は、前述した多機能マットレス１０と組立て式ベッド３０の組合せによって構成されている。
【００４１】
本組立て式ベッド３０は、図９に平面図で示すように、平面視でスノコ状に形成された５個のベッド本体ユニット３１Ａ、３１Ｂ、３１Ｃ、３１Ｄ、３１Ｅを連設し、組み立てて成っている。前述した多機能マットレス１０はこの組立て式ベッド３０の上面にセットされる。
【００４２】
ここに、端部側に位置するベッド本体ユニット３１Ａと３１Ｅとは実質的に同一形状となっており、同様に、内側に位置するベッド本体ユニット３１Ｂ、３１Ｃ、３１Ｄは同一形状となっている。
【００４３】
ベッド本体ユニット３１Ａ（３１Ｅ）は、図１０（Ａ）に平面図で、図１１（Ａ）にその下側面図で示すように、３枚の床板３２が等間隔をもって２つの側辺部材３３、３４間に懸架され、固定ピン３２Ｐで固定されて全体がスノコ状に形成されている。なお、この床板３２は、前記実施形態における床板２１Ｕ〜２４Ｕと同様に、上方に湾曲した形状のウッドスプリングで構成されている。
【００４４】
側辺部材３３の内側端部には固定ピン３３Ｐが下面方向に突設されている一方、側辺部材３４の内側端部には段差部３４Ｄが形成され、この段差部３４Ｄには係止穴３４Ｈが透設されている。なお、図１１に破断面で示すように、側辺部材３３、３４の接地部３３Ｅ、３４Ｅは夫々円筒状に形成され、この底部接地面には傷防止用のクッション部材３５が装着されている。
【００４５】
ベッド本体ユニット３１Ｂ（３１Ｃ、３１Ｄ）は、図１０（Ｂ）に平面図で、図１１（Ｂ）にその下側面図で示すように、床板３２が前記同様に側辺部材３５、３６間に懸架され、固定ピン３２Ｐで固定されて全体がスノコ状に形成されている。
【００４６】
図示するように、側辺部材３６、３７には、前記側辺部材３３、３４と同様な、係止穴３６Ｈ、３７Ｈ、固定ピン３６Ｐ、３７Ｐ、段差部３６Ｄ、３７Ｄが設けられ、底部接地面にはクッション部材３５が装着されている。
【００４７】
本組立て式ベッド３０は、以上のとおり構成されたベッド本体ユニット３１Ａ〜３１Ｅを固定ピンと係止穴とから成る連接部を介して連接、組み立てられる。すなわち、ベッド本体ユニット３１Ａと隣接するベッド本体ユニット３１Ｂとは、固定ピン３３が係止穴３６Ｈに係止され、同時に、固定ピン３７Ｐが係止穴３４Ｈに係止されることにより連設され、以下同様にしてベッド本体ユニット３１Ｂ〜３１Ｅが連設されて本組立て式ベッド３０が組み立てられる。
【００４８】
なお、本実施形態では連設部が固定ピンと係止穴とで構成されているが、例えば隣接するベッド本体ユニット同士を蝶番で連結する等の、公知の連結手段により構成することも可能である。
【００４９】
このようにして組み立てられた本組立て式ベッド３０の床板３２の上面には多機能マットレス１０がセットされ、かくして本ベッドＢ２ができ上がる。
【００５０】
なお、ベッド本体ユニット３１Ａ〜３１Ｅの外周に仮想線で示すガイド部材３８を設けておくことにより、多機能マットレス１０を本組立て式ベッド３０の上面にセットする場合の装着、位置決め、固定作業を確実なものとすることができる。
【００５１】
本ベッドＢ２は以上のとおり構成されているので、使用しない場合には、多機能マットレス１０を組立て式ベッド３０から取り外し、ベッド本体ユニット３１Ａ〜３１Ｅの組み付けを解除することにより、全体をコンパクトにして収納することができる。なお、この取り外した多機能マットレス１０は低位の簡易ソファーとして使用できることは前述したとおりである。
【００５２】
本考案は上述した実施形態に限定されるものではなく、その構成を例えば次のように変更することができる。
【００５３】
例えば、多機能マットレス１０は、４つ折り以上としたものであってもよく、また、マットレスブロックの周囲に複数の連設部を設け、各周囲部を内側に折り返すことによりベビーベッドを形成するようにしたものでもよい。
【産業上の利用可能性】
【００５４】
なお、本考案に係る多機能マットレス付ベッドは、例えば災害時における体育館等の緊急避難場所においても有効に利用することができる。
【符号の説明】
【００５５】
１０                          多機能マットレス
１１、１２、１３              マットレスブロック
１４                          カバー
１５                          クッション材
２０                          折畳み式ベッド
２１、２２                    ベッド本体フレーム
２１Ｔ、２２Ｔ                把手
２３                          横フレーム
２４                          背上げフレーム
２５                          背上げ具
２６Ａ〜２６Ｄ                接地スタンド
２７                          レバー
３０                          組立て式ベッド
３１Ａ〜３１Ｅ                ベッド本体ユニット
３２                          床板
３３、３４、３６、３７        側辺部材
３８                          ガイド部材
Ｐ１、Ｐ２、Ｐ３              連設部
【図１】
0003154395.tif 000003
【図２】
0003154395.tif 000004
【図３】
0003154395.tif 000005
【図４】
0003154395.tif 000006
【図５】
0003154395.tif 000007
【図６】
0003154395.tif 000008
【図７】
0003154395.tif 000009
【図８】
0003154395.tif 000010
【図９】
0003154395.tif 000011
【図１０】
0003154395.tif 000012
【図１１】
0003154395.tif 000013